(57)【要約】      （修正有）【課題】天板の下面に桁と紙管とを組合わせて接合して成る搬送用パレットであって、桁を構成する段ボールの使用量が少なく、しかも十分な横幅を有し、これによって座屈が起こり難いようにした搬送用パレットを提供する。【解決手段】４枚の板状部を互いに重合わせて構成された桁ブロックと、４枚の板状部を互いに重合わせて組立てられた桁ブロックとを、互いに所定の間隔を隔てて配し、両側から係合ブロック１６を組合わせ、係合ブロック１６の両端の係合片を両側の桁ブロックの係合溝に組合わせることによって、係合ブロック１６がスペーサとして機能するように両側の桁ブロックを連結する。そして桁ブロックの上面に形成された円弧状凹部１５に１８０度に分割された紙管１４を組合わせる。【選択図】図４
2013227024.tif 000002
【特許請求の範囲】
【請求項１】
上面が物品の載置面となっている天板と、
前記天板の下面において互いに平行な状態で取付けられる複数本の桁と、
前記桁と直交するようにして前記複数本の桁を連結する分割された紙管と、
を具備し、しかも前記桁が、
段ボールに互いに平行な半切線および／または連結部を有する切断線を形成した複数の板状部を交互に逆方向に折曲げて重合わせた両側の桁ブロックと、
段ボールに互いに平行な半切線および／または連結部を有する切断線を形成した複数の係合板を交互に逆方向に折曲げて重合わせた係合ブロックと、
を具備し、前記係合ブロックが連結手段を兼ねており、前記両側の桁ブロックを所定の間隔を隔てた状態で連結している搬送用パレット。
【請求項２】
前記桁ブロックの段ボールはその段目の方向と直交する方向に前記半切線および／または前記切断線が形成され、組立てた状態で前記段目が直立する請求項１に記載の搬送用パレット。
【請求項３】
前記桁ブロックおよび／または前記係合ブロックの半切線は一方のライナのみが連結状態に維持され、前記連結されたライナが内側になるように前記板状部が谷折りされる請求項１に記載の搬送用パレット。
【請求項４】
前記桁ブロックおよび／または前記係合ブロックの前記切断線の連結部は、該切断線を遮断するように形成された一対の切込み間の細条の連結片である請求項１に記載の搬送用パレット。
【請求項５】
前記桁ブロックの前記切断線および／または前記半切線の長さ方向の端部に係合溝が形成され、前記係合ブロックの両側端に突出するように形成された係合片が前記係合溝に受入れられ、しかも前記係合ブロックが前記桁ブロックの端部において両側の前記桁ブロックを離間した状態で保持する請求項１に記載の搬送用パレット。
【請求項６】
前記桁ブロックの前記板状部間の半切線または前記切断線を横切るように円形または円弧状の切込みが形成され、該切込みによって形成される凹部に前記分割された紙管が受入れられる請求項１に記載の搬送用パレット。
【請求項７】
前記桁ブロックの上面と該桁ブロックの凹部に受入れられた前記紙管の分割面とが前記天板の下面に接している請求項６に記載の搬送用パレット。
【請求項８】
前記紙管は円周方向に１８０度ずつ２分割されている請求項１に記載の搬送用パレット。
【請求項９】
前記紙管は円周方向に９０度ずつ４分割されている請求項１に記載の搬送用パレット。
【請求項１０】
前記桁ブロックの底面に段ボールから成る底板が接合されている請求項１に記載の搬送用パレット。
【発明の詳細な説明】
【技術分野】
【０００１】
本発明は、搬送用パレットに係り、とくに段ボールと紙管とを用いて組立てるようにした搬送用パレットに関する。
【背景技術】
【０００２】
各種の物品をその上に載置し、フォークリフトのフォークを下から挿入して持上げることによって上記物品を運搬するために搬送用パレットが広く用いられている。ここで従来の一般的なパレットは、木製のものであって、天板と、この天板の下面に取付けられている桁と、さらに必要に応じて底板とを備えており、天板上に各種の物品を載置して下からフォークリフトのフォークを挿入して持上げ、フォークリフトの走行によって搬送を行なうようにしている。
【０００３】
ところが従来の木製のパレットは、重量が大きくなるとともに、端部が欠落し、これによってゴミを生ずる問題がある。また虫や細菌の類が付着し易く、消毒を行なわなければならないという欠点がある。
【０００４】
そこで、実開昭５９−７８２２４号公報には、上端上部に紙管受部を所要間隔下に配設した段ボール材よりなる角筒状の脚桁の複数本を相互間に所要の間隔をおいて並列させて該紙管受部に嵌支させた紙管をもって各脚桁を連結するとともに該脚桁の上面に段ボール材よりなる天板を添着した段ボール製輸送用パレットが開示されている。
【０００５】
この搬送用パレットは、木材を一切使わないために、木材から成る搬送パレットによる欠点を解消することが可能になる。ところが、脚桁は、段ボール材を折曲して一側板部のみを２重とした角筒状の構造を成しており、端部開口にのみ補強のために、段ボール片等の数枚を重ねた栓材を充填する構造になっている。従って、とくに脚桁の耐圧強度に劣り、大きな荷重のものを載置することができない欠点がある。
【０００６】
また、実用新案登録第３１２５７４０号公報には、ダンボールを含む積層紙製の天板部と、この天板部の下面に第一のフォーク挿入方向に対して直交方向に複数本配設され、その上端縁部が前記天板の下面に接着された半円形の梁部材と、前記天板部の下面に前記梁部材に直交方向に嵌合するように配設されるとともに前記桶状の梁部材の表面及び前記天板部の下面に接着された少なくとも２本のダンボールを含む積層紙製の脚部材とを備え、簡単な構造で、製造容易で、かつ十分な強度や耐荷重性及び耐変形性を示し、また、フォークリフトのフォークを挿入し易く、取り扱い性に優れた紙製荷役用パレットが提案されている。
【０００７】
ここで上記脚部材は、複数枚のダンボールを互いに積層した積層ダンボールから構成されている。従って所定の枚数脚部材を予め切断するか打抜き、これを接着手段によって接着して積層しなければならない。ここで脚部材の厚さが少ないと、耐圧強度が低下する。また多数枚の段ボールシートを積層するようにすると、段ボールシートの使用量が増大し、重量が増加することになる。また脚部材の厚さ方向の幅が少ないと、座屈して天板から脚部材が脱落する可能性がある。
【先行技術文献】
【特許文献】
【０００８】
【特許文献１】実開昭５９−７８２２４号公報
【特許文献２】実用新案登録第３１２５７４０号公報
【発明の概要】
【発明が解決しようとする課題】
【０００９】
本願発明の課題は、桁を構成する段ボールの積層枚数が少なく、しかも十分な幅を有し、軽量であって、安定的に天板を支えることが可能な搬送用パレットを提供することである。
【００１０】
本願発明の別の課題は、段ボールの使用量を少なくし、しかも十分な耐圧強度を有する搬送用パレットを提供することである。
【００１１】
本願発明のさらに別の課題は、桁部材が天板に対して座屈して脱落しないようにした搬送用パレットを提供することである。
【００１２】
本願発明の上記の課題および別の課題は、以下に述べる本願発明の技術的思想、およびその実施の形態によって明らかにされる。
【課題を解決するための手段】
【００１３】
本願の主要な発明は、
上面が物品の載置面となっている天板と、
前記天板の下面において互いに平行な状態で取付けられる複数本の桁と、
前記桁と直交するようにして前記複数本の桁を連結する分割された紙管と、
を具備し、しかも前記桁が、
段ボールに互いに平行な半切線および／または連結部を有する切断線を形成した複数の板状部を交互に逆方向に折曲げて重合わせた両側の桁ブロックと、
段ボールに互いに平行な半切線および／または連結部を有する切断線を形成した複数の係合板を交互に逆方向に折曲げて重合わせた係合ブロックと、
を具備し、前記係合ブロックが連結手段を兼ねており、前記両側の桁ブロックを所定の間隔を隔てた状態で連結している搬送用パレットに関するものである。
【００１４】
ここで、前記桁ブロックの段ボールはその段目の方向と直交する方向に前記半切線および／または前記切断線が形成され、組立てた状態で前記段目が直立するようにしてよい。また前記桁ブロックおよび／または前記係合ブロックの半切線は一方のライナのみが連結状態に維持され、前記連結されたライナが内側になるように前記板状部が谷折りされてよい。また前記桁ブロックおよび／または前記係合ブロックの前記切断線の連結部は、該切断線を遮断するように形成された一対の切込み間の細条の連結片であってよい。また前記桁ブロックの前記切断線および／または前記半切線の長さ方向の端部に係合溝が形成され、前記係合ブロックの両側端に突出するように形成された係合片が前記係合溝に受入れられ、しかも前記係合ブロックが前記桁ブロックの端部において両側の前記桁ブロックを離間した状態で保持してよい。
【００１５】
また、前記桁ブロックの前記板状部間の半切線または前記切断線を横切るように円形または円弧状の切込みが形成され、該切込みによって形成される凹部に前記分割された紙管が受入れられてよい。また前記桁ブロックの上面と該桁ブロックの凹部に受入れられた前記紙管の分割面とが前記天板の下面に接していてよい。また前記紙管は円周方向に１８０度ずつ２分割されてよい。また前記紙管は円周方向に９０度ずつ４分割されてよい。また前記桁ブロックの底面に段ボールから成る底板が接合されてよい。
【発明の効果】
【００１６】
本願の主要な発明は、
上面が物品の載置面となっている天板と、
前記天板の下面において互いに平行な状態で取付けられる複数本の桁と、
前記桁と直交するようにして前記複数本の桁を連結する分割された紙管と、
を具備し、しかも前記桁が、
段ボールに互いに平行な半切線および／または連結部を有する切断線を形成した複数の板状部を交互に逆方向に折曲げて重合わせた両側の桁ブロックと、
段ボールに互いに平行な半切線および／または連結部を有する切断線を形成した複数の係合板を交互に逆方向に折曲げて重合わせた係合ブロックと、
を具備し、前記係合ブロックが連結手段を兼ねており、前記両側の桁ブロックを所定の間隔を隔てた状態で連結するようにしたものである。
【００１７】
従ってこのような構成に係る搬送用パレットによると、互いに直交した状態で組合わされる桁と紙管とによって天板を下から支えることが可能になる。しかも紙管と共働して天板を支える桁が、両側の桁ブロックから構成され、これらの桁ブロックが互いに所定の間隔を隔てた状態で係合ブロックによって連結された構造になっている。従ってそれぞれの桁ブロックの段ボールの枚数を少なくしながらしかも十分な幅を有する桁によって天板を支えることが可能になる。また係合ブロックによって両側の桁ブロックの間の部分が空洞になるために、搬送用パレットの軽量化が達成されることになる。また桁が十分な幅を有することから、天板に対して桁が座屈して脱落することがない。
【図面の簡単な説明】
【００１８】
【図１】第１の実施の形態の搬送用パレットの平面図である。
【図２】同搬送用パレットの正面図である。
【図３】同搬送用パレットの底面図である。
【図４】搬送用パレットの分解斜視図である。
【図５】中間の桁ブロックを組立てるための段ボールシートの展開平面図である。
【図６】同段ボールシートを用いて中間の桁ブロックを組立てる動作を示す外観斜視図である。
【図７】組立てられた中間の桁ブロックの外観斜視図である。
【図８】側端側の桁ブロックを組立てるための段ボールシートの展開平面図である。
【図９】同段ボールシートを用いて側端側の桁ブロックを組立てる動作を示す外観斜視図である。
【図１０】組立てられた側端側の桁ブロックの外観斜視図である。
【図１１】桁を構成する両側の桁ブロックを連結するための係合ブロックを組立てる段ボールシートの展開平面図である。
【図１２】同段ボールシートを折曲げて係合ブロックを組立てる動作を示す外観斜視図である。
【図１３】組立てられた係合ブロックの外観斜視図である。
【図１４】分割する前の状態の紙管の正面図および側面図である。
【図１５】紙管の分割位置を示す正面図（Ａ）および分割された紙管を示す正面図（Ｂ）である。
【図１６】分割された紙管の外観斜視図である。
【図１７】桁ブロックと係合ブロックと底板との組立てを示す桁の分解斜視図である。
【図１８】第２の実施の形態の搬送用パレットの平面図である。
【図１９】同搬送用パレットの正面図である。
【図２０】同搬送用パレットの底面図である。
【図２１】第２の実施の形態の搬送用パレットに用いられる４分割の紙管の分割位置を示す正面図（Ａ）および分割された紙管の正面図（Ｂ）である。
【図２２】同紙管と桁ブロックとの連結を示す分解斜視図である。
【図２３】同桁ブロックの側面図である。
【発明を実施するための形態】
【００１９】
以下本願発明を図示の実施の形態によって説明する。図１〜図４は、第１の実施の形態の搬送用パレットを示している。この搬送用パレットはほぼ正方形の段ボールから成る天板１０を備えている。この天板１０の上に搬送される物品を載置するようにしている。天板１０の下面には、その横方向の中間位置に縦方向に延びる中間の桁８が接合されるとともに、天板１０の両側には上記中間の桁８と平行に両側の桁９が取付けられる。なお桁８、９の底面には、これらの桁８、９の底部の形状に整合する底板１３が接合されている。そして上記中間の桁８および両側の桁９と互いに直交するように、紙管１４が組合わされる。紙管１４は後述するように、３６０度の円形の紙管を１８０度に分割した紙管であって、桁８、９の上面に形成された円弧状凹部１５に受入れられた状態で組合わされるようになっている。
【００２０】
次に上記桁８、９を組立てる中間の桁ブロック１１（図７参照）の構成について図５〜図７によって説明する。図５は上記中間の桁ブロック１１を一度に４個組立てるための段ボールシートの展開平面図である。ここでは、それぞれの桁ブロック１１が４枚の板状部２１、２２、２３、２４、および２５、２６、２７、２８を備えている。板状部２１と２２との間、２３、２４の間、２５、２６の間、２７、２８の間は半切線２９によって折曲げ可能に連結されている。ここで半切線２９は、その表側あるいは裏側のライナのみが連結され反対側のライナと中芯とが切断された線である。
【００２１】
また板状部２２、２３の間および２６、２７の間は、切断線３０によって切断されている。ここで切断線３０は、この切断線３０を遮断するように形成された一対の切込み３２間の細条の連結片によって構成される連結部３３を備えている。また板状部２４、２５の間の部分および上下の両側の板状部間の部分は分割用切断線３１によって分割されており、これらの切断線３１の部分で、全体としてこの段ボールシートを４区画に分割するようにしている。
【００２２】
上記板状部２１、２２間の半切線２９を跨ぐように半円形の切欠き３４が両側に形成されている。また板状部２３、２４間の半切線２９を跨ぐように、半円形の切欠き３４が両側に形成されている。また板状部２５、２６間の半切線２９を跨ぐように半円形の切欠き３４が形成されている。また板状部２７、２８間に形成された半切線２９を跨ぐように、半円形の切欠き３４が形成されている。また各板状部２１〜２８の両側にはそれぞれコ字状凹部３５が形成されている。
【００２３】
図６は図５に示すような段ボールシートを折曲げて中間の桁ブロック１１を組立てる動作を示している。ここでは図５に示す段ボールの左右の中央部を分割する分割用切断線３１と、上下の中間部を上下に分割する分割用切断線３１とによって全体が４分割され、各部分が桁ブロック１１を組立てるようにしており、１度に４つの桁ブロック１１が組立てられる。
【００２４】
板状部２１、２２間の半切線２９が、連結されたライナが内側になるように谷折りによって折曲げられる。同様に板状部２３、２４についても、連結された板状部２３、２４間のライナが内側になるように折曲げられる。これに対して連結部３３を有する切断線３０は、上記半切線２９とは逆方向に折曲げられる。これによって図６に示すようにジクザグに４枚の板状部２１〜２４が折曲げられる。板状部２５〜２８についても同様であって、板状部２５、２６間の半切線と２７、２８間の半切線２９とが、連結されたライナが内側になるように折曲げられる。これに対して板状部２６、２７間の切断線３０であって連結部３３を有する切断線は、逆方向に折曲げられる。
【００２５】
折曲げられた板状部２１〜２４および２５〜２８は互いに重合わされ、さらに必要に応じてグルー糊で接合される。図７は、板状部２１、２２、２３、２４を折曲げて積層し、互いに接合した中間の桁ブロック１１を示している。４枚の積層構造から成る桁ブロック１１の長さ方向の両端にはそれぞれコ字状の凹部３５によって係合溝３７が形成される。またこの桁ブロック１１の上面には半円形の凹部３８が形成される。凹部３８は、１８０度に分割された紙管１４を受入れるためのものである。
【００２６】
次に側端側の桁ブロック１２（図１０参照）を組立てる動作について説明する。側端側の桁ブロック１２は、図８に示す段ボールを用いて組立てられる。この段ボールは、板状部４１、４２、４３、４４、４５、４６、４７、４８を両側に２列備えている。ここで板状部４１、４２間、４３、４４間、４５、４６間、４７、４８間には半切線４９が形成されている。半切線４９は、一方のライナのみが連結状態で残されており、反対側のライナと中芯とが切断された線である。また板状部４２、４３間および４６、４７間には切断線５０が形成される。切断線５０はその中間位置に複数の連結部５３を備えている。連結部５３は、切断線５０を遮断するように形成された一対の切込み５２間の細条の連結片によって構成される。
【００２７】
また板状部４４、４５との間および上下の板状部４１〜４８との間には、分割用切断線５１が形成され、これによって図８に示す段ボールは４枚の段ボールに分割され、別々に折曲げられることによって、同時に４つの桁ブロック１２を組立てるようになっている。また板状部４１、４２間の半切線４９および板状部４７、４８間の半切線４９を跨るように、半円形の切欠き５４が形成されている。また板状部４３、４６には、半切線４９に接するように半円形の切欠き５４が形成されている。また各板状部４１〜４８の両側にはそれぞれコ字状凹部５５が形成されている。
【００２８】
図８に示すような段ボールシートによって図１０に示す桁ブロック１２を組立てる場合には、図９に示すように、その左右の中間部に形成された分割用切断線５１および上下の中間部に形成された横方向の分割用切断線５１によって分割し、４分割する。これによって同時に４つの両側の桁ブロック１２が組立てられるようになっている。すなわち板状部４１、４２間の半切線４９および板状部４３、４４間の半切線４９を、連結されているライナが内側になるように折曲げる。これに対して板状部４２、４３間の切断線５０は反対側に折曲げ、これによって４枚の板状部４１〜４４を交互に逆方向に折曲げる。
【００２９】
同様に板状部４５〜４８についても、板状部４５、４６間の半切線と板状部４７、４８間の半切線とを、連結されているライナが内側になるように折曲げる。これに対して板状部４６、４７間の切断線５０は、逆方向に折曲げる。これによって図９に示すように４つの桁ブロック１２を同時に組立てられるようになる。
【００３０】
図１０はこのようにして組立てられた側端側の桁ブロック１２を示している。この桁ブロック１２は、上記半円形の切欠き５４によって、上面に凹部５８が形成されるとともに、その両端には、コ字状凹部５５によって係合溝５７が形成される。ここで両側の桁ブロック１２は、板状部４４、４５の部分に半円形の切欠き５４が設けられていないために、上面に形成される半円形の切欠き５４は、板状部４１、４２、４３、および４６、４７、４８を貫通するように形成されるものの、この凹部５８は端部の板状部４４、４５によって閉塞された状態で組立てられる。またこの桁ブロック１２の両端には、上記コ字状凹部５５によって係合溝５７がその長さ方向の両端にそれぞれ形成されるようになっている。
【００３１】
次に係合ブロック１６（図１３参照）の組立てについて説明する。係合ブロック１６は、一対の中間の桁ブロック１１あるいは中間の桁ブロック１１と側端側の桁ブロック１２とを、互いに所定の間隔を隔てた状態で連結するようにするものであって、図１１に示す段ボールシートによって一挙に８個ずつ組立てられるようになっている。この段ボールシートは、板状部６１、６２、６３、６４、６５、６６、６７、６８を備えている。ここで板状部６１、６２間、６３、６４間、６５、６６間、６７、６８間にはそれぞれ半切線６９が形成されており、この半切線６９は一方のライナのみを残して反対側のライナと中芯とが切断された線である。これに対して板状部６２、６３間と６６、６７間には、一対の切込みによって形成される連結片から成る連結部７３を有する切断線７０が形成されている。
【００３２】
また図１１に示す段ボールの左右の中間部には分割用切断線７１が形成され、さらにこの段ボールの上下の中間部には３本の分割用切断線７１が形成され、これによってこの段ボールシートが一挙に８分割されるようになっている。各板状部６１〜６８は、その両側の部分の上下にそれぞれコ字状の切込み７４、７５を備えており、これによって両側に係合片７６（図１３参照）を形成するようにしている。
【００３３】
係合ブロック１６を組立てる場合には、図１１に示す段ボールを、その左右の中間部の切断線７１と、横方向に延びる３本の切断線７１とを用いてこの段ボールを一挙に８分割する。そして板状部６１、６２間および６３、６４間の半切線６９を、連結されているライナが内側になるように図１２に示すように折曲げる。また板状部６２、６３間の切断線７０については、上記半切線６９による折曲げ方向と逆方向に折曲げる。これによって４枚の板状部６１〜６４が交互にジグザグに折曲げられることになり、これらの板状部６１〜６４間を糊で接合して重合わせることによって、図１３に示す係合ブロック１６が組立てられるようになる。この係合ブロックは、両側の切込み７４、７５によって両側に突出するように係合片７６が形成され、この係合片７６の部分が、桁ブロック１１、１２の係合溝３７、５７にそれぞれ係合されるようになっている。
【００３４】
次に上記桁ブロック１１、１２によって構成される桁８、９と組合わされる紙管について説明する。まず図１４に示すように、円形断面であって所定の肉厚の円筒状紙管８０を用意する。なお紙管８０の長さは、図１に示すように、この搬送用パレットの天板１０の横方向の寸法よりも片側段ボール１枚分、両側で合計２枚分の長さだけ短い寸法である。そしてこのような紙管８０を図１５に示すように分割線８１のところで円周方向に１８０度ずつ２分割し、これによって図１５Ｂに示すように、１本の紙管８０から２本の１８０度に分割された紙管１４を得る。図１６はこのような紙管の外観を示している。
【００３５】
次に上記桁ブロック１１、１２、係合ブロック１６、および底板１３を用いて天板１０の下面に互いに平行に取付ける桁８、９の組立てを説明する。この搬送用パレットの外側部に臨む部分以外については、中間の桁ブロック１１を用いる。これに対して外側部に臨む部分については、中間の桁ブロック１１と側端側の桁ブロック１２を組合わせて用いる。
【００３６】
今ここで、外側部に臨む部分の桁９の組立てを説明すると、桁ブロック１１、１２は図１７に示すように互いに所定の間隔を隔てて配され、その両端に形成される係合溝３７、５７の部分に上記係合ブロック１６の両側の係合片７６を挿入する。従って上記係合ブロック１６の両側に突出する係合片７６を除いた部分が両側の桁ブロック１１、１２間に介在されるスペーサになり、その寸法に相当する部分だけ両側の桁ブロック１１、１２間に空間が形成された状態で、一対の桁ブロック１１、１２が互いに組合わされる。しかも長さ方向に２本の桁ブロック１１、１２を配列し、底板１３上に糊付けして固定する。
【００３７】
一方中間の桁８については、図７に示す中間の桁ブロック１１を対で組合わせて構成する。そしてこのようにして組立てられた桁８、９が、図１〜図４に示すように、天板１０の下面に互いに平行に３列に取付けられる。しかも上記桁８、９の桁ブロック１１、１２の上面に形成されている凹部３８、５８には、分割された１８０度の紙管１４が載置される。このときに紙管１４の分割面が上面になるようにする。そして桁ブロック１１、１２の上面と紙管１４の分割面とが互いに同一平面となるようになっている。この状態で桁は、天板１０の下面に接合される。このようにして、図１〜図４に示すようなパレットが組立てられる。
【００３８】
次に図１８〜図２３によって別の実施の形態を説明する。この実施の形態は、天板１０の下面に取付けられる桁８４、８５の構成を変更するとともに、紙管８８として、３６０度の円形の紙管を４分割した９０度の紙管８８を用いるようにしている。すなわち、図１８〜２０に示すように、天板１０の下面には３列に桁８４、８５が取付けられている。そしてこのような３列の桁８４、８５を連結するように、９０度に分割された紙管８８を８本互いに平行に配列して組立てるようにしている。
【００３９】
この実施の形態の組立てを説明すると、図２１に示すようにまず円筒状紙管８６を用意し、この円筒状紙管８６を分割線８７の位置において９０度ずつ４分割する（図２１Ｂ参照）。一方桁８３、８４を組立てる桁ブロック８９、９０については、上記９０度の紙管８８と整合するような溝を形成したものにする。ここでは中間の桁ブロック８９を例に採って説明すると、図２２、２３に示すように、この桁ブロック８９の上面に上記９０度の紙管８８の断面形状と整合するような円弧状切込み９１を形成する。このような切込み９１によって、紙管８８の一方の切断面がこの桁ブロック８９の上面と一致するように組合わせる。また桁ブロック８９の両端にはそれぞれ係合溝９２が形成され、この係合溝９２によって図１３に示す係合ブロック１６の両端の係合片７６を受入れるようにしている。なおここで側端側の桁ブロック９０についても、両側の板状部に円弧状の切込み９１を備えないという構成を残して、その他の構成については、上記桁ブロック８９と同様になっている。
【００４０】
このような９０度に４分割された紙管８８と桁ブロック８９、９０とを用いて図１８〜２０に示すように、天板１０の下面に３列に桁８４、８５を組合わせるとともに、これらの８４、８５を横切るように桁８４、８５に対して直交する４分割された８本の紙管８８を組合わせることによって、搬送用パレットが組立てられることになる。
【００４１】
以上本願発明を図示の実施の形態によって説明したが、本願発明は上記実施の形態によって限定されることなく、本願発明の技術的思想の範囲内において各種の変更が可能である。例えば上記実施の形態における天板１０の形状、寸法、あるいはこのような天板１０と組合わされる桁８、９、紙管１４等の寸法や形状については、各種の変更が可能である。
【産業上の利用可能性】
【００４２】
本願発明は、その上に各種の物品を載置し、フォークリフトによって搬送することが可能な搬送用パレットに利用可能である。
【符号の説明】
【００４３】
８  桁（中間）
９  桁（両側）
１０  天板
１１  桁ブロック（中間）
１２  桁ブロック（側端側）
１３  底板
１４  紙管（１８０度）
１５  円弧状凹部
１６  係合ブロック
２１〜２８  板状部
２９  半切線
３０  切断線
３１  分割用切断線
３２  切込み
３３  連結部
３４  半円形の切欠き
３５  コ字状凹部
３７  係合溝
３８  凹部
４１〜４８  板状部
４９  半切線
５０  切断線
５１  分割用切断線
５２  切込み
５３  連結部
５４  半円形の切欠き
５５  コ字状凹部
５７  係合溝
５８  凹部
６１〜６８  板状部
６９  半切線
７０  切断線
７１  分割用切断線
７２  切込み
７３  連結部
７４、７５  切込み
７６  係合片
８０  円筒状紙管
８１  分割線
８４  桁（中間）
８５  桁（両側）
８６  円筒状紙管
８７  分割線
８８  紙管（９０度）
８９  桁ブロック（中間）
９０  桁ブロック（側端側）
９１  円弧状切込み
９２  係合溝
【図１】
2013227024.tif 000003
【図２】
2013227024.tif 000004
【図３】
2013227024.tif 000005
【図４】
2013227024.tif 000006
【図５】
2013227024.tif 000007
【図６】
2013227024.tif 000008
【図７】
2013227024.tif 000009
【図８】
2013227024.tif 000010
【図９】
2013227024.tif 000011
【図１０】
2013227024.tif 000012
【図１１】
2013227024.tif 000013
【図１２】
2013227024.tif 000014
【図１３】
2013227024.tif 000015
【図１４】
2013227024.tif 000016
【図１５】
2013227024.tif 000017
【図１６】
2013227024.tif 000018
【図１７】
2013227024.tif 000019
【図１８】
2013227024.tif 000020
【図１９】
2013227024.tif 000021
【図２０】
2013227024.tif 000022
【図２１】
2013227024.tif 000023
【図２２】
2013227024.tif 000024
【図２３】
2013227024.tif 000025